(57)【特許請求の範囲】
【請求項１】
映像を撮影するためのカメラ部と、
インスタントメッセージング機能と関連したユーザ入力のための入力部と、
チャットウィンドウを含む前記インスタントメッセージング機能の実行によるユーザインターフェース画面を出力する表示部と、
前記カメラ部、前記入力部及び前記表示部と機能的に連結され、１つ以上の他の端末とインスタントメッセージを送受信するインスタントメッセージング機能を実行する間に、背景画面切替を要請するユーザ入力によって前記カメラ部を活性化させ、前記表示部の画面出力方向と反対方向の映像を撮影するようにしながら、前記１つ以上の他の端末と送受信するインスタントメッセージを表示するチャットウィンドウの背景画面に、前記活性化されたカメラ部を通じて撮影された映像が表示されるように制御する制御部とを含み、
前記制御部は、
前記チャットウィンドウの背景画面に前記カメラ部で撮影された映像を表示する間に、カメラ映像伝送を要請するユーザ入力によって、前記背景画面に出力される前記カメラ部の撮影映像を前記１つ以上の他の端末に伝送し、
前記カメラ映像伝送を要請するユーザ入力は、がちゃん、伝送、撮影、撮り、共有、フォト、写真、キャプチャーのうちいずれか１つを含む撮影、伝送、共有と関連した既定の単語、前記単語を含む文章、前記単語または前記文章の縮約語のうち１つ以上を含む文字の入力であることを特徴とする端末。
【請求項２】
前記制御部は、
前記カメラ映像伝送を要請するユーザ入力があれば、前記背景画面に出力される前記カメラ部の撮影映像をイメージとして格納し、前記格納されたイメージを前記チャットウィンドウに送信メッセージのような形態で表示するように前記表示部を制御することを特徴とする請求項１に記載の端末。
【請求項３】
前記制御部は、
前記インスタントメッセージング機能を実行する間に、前記チャットウィンドウの背景画面をカメラ映像に切替設定することができる第１メニューを出力し、前記第１メニューを用いたユーザ入力によって、前記カメラ部を活性化させ、前記チャットウィンドウの背景画面に前記活性化されたカメラ部の撮影映像が表示されるように制御することを特徴とする請求項１に記載の端末。
【請求項４】
前記制御部は、
前記チャットウィンドウの背景画面をカメラ映像に切替要請するためのユーザ入力を設定し、前記設定されたユーザ入力が発生すれば、前記カメラ部を活性化させ、前記チャットウィンドウの背景画面に前記活性化されたカメラ部の撮影映像が表示されるように制御することを特徴とする請求項１に記載の端末。
【請求項５】
前記制御部は、
メニュー画面または初期画面を含む前記インスタントメッセージング機能の他の画面に移動してから前記チャットウィンドウに戻った場合、または、前記インスタントメッセージング機能の終了後に再実行して前記チャットウィンドウに戻った場合に、前記チャットウィンドウの背景画面に前記カメラ部の撮影映像を出力する状態を維持するように制御することを特徴とする請求項１に記載の端末。
【請求項６】
前記制御部は、
バッテリー残余量、節電モード可否、前記インスタントメッセージング機能のバックグラウンド待機時間のうち１つ以上を基準とする設定条件によって、前記チャットウィンドウの背景画面を、前記カメラ部の撮影映像から、指定された停止映像またはグラフィックイメージを含む一般映像に切り替えるように制御することを特徴とする請求項１に記載の端末。
【請求項７】
端末が、１つ以上の他の端末とインスタントメッセージを送受信するインスタントメッセージング機能を実行する間に、カメラ映像への背景画面切替可否を確認する確認段階と、
前記端末が、前記カメラ映像への背景画面切替を確認すれば、前記端末に連結されたカメラ部を活性化させ、前記端末の画面出力方向と反対方向の映像を撮影するカメラ活性化段階と、
前記端末が、前記活性化されたカメラ部を通じて撮影されたカメラ映像を前記インスタントメッセージが表示されるチャットウィンドウの背景画面に出力する背景画面切替段階と、
前記端末が、ユーザ入力によって、前記チャットウィンドウの背景画面に表示される前記カメラ映像を前記１つ以上の他の端末に伝送する伝送段階とを含み、
前記伝送段階のユーザ入力は、がちゃん、伝送、撮影、撮り、共有、フォト、写真、キャプチャーのうちいずれか１つを含む撮影、伝送、共有と関連した既定の単語、前記単語を含む文章、前記単語または前記文章の縮約語のうち１つ以上を含む文字の入力であることを特徴とするインスタントメッセージングサービス提供方法。
【請求項８】
前記端末が、ユーザ入力によって、前記チャットウィンドウの背景画面に表示される前記カメラ映像を格納する格納段階をさらに含むことを特徴とする請求項７に記載のインスタントメッセージングサービス提供方法。
【請求項９】
前記端末が、前記１つ以上の他の端末に伝送されたカメラ映像を前記チャットウィンドウに送信メッセージのような形態で表示する段階をさらに含むことを特徴とする請求項７に記載のインスタントメッセージングサービス提供方法。
【請求項１０】
前記確認段階は、
前記端末が、前記チャットウィンドウの背景画面を前記カメラ映像に切替設定するための第１メニューを提供する段階と、
前記端末が、ユーザ入力による前記第１メニューの設定情報を基準にして、前記背景画面の切替可否を確認する段階とを含むことを特徴とする請求項７に記載のインスタントメッセージングサービス提供方法。
【請求項１１】
前記確認段階は、
前記端末が、前記チャットウィンドウの背景画面を前記カメラ映像に切替要請するために既定のユーザ入力を確認する段階であることを特徴とする請求項７に記載のインスタントメッセージングサービス提供方法。
【請求項１２】
端末が、１つ以上の他の端末とインスタントメッセージを送受信するインスタントメッセージング機能を実行する間に、カメラ映像への背景画面切替可否を確認する確認段階と、
前記端末が、前記カメラ映像への背景画面切替を確認すれば、前記端末に連結されたカメラ部を活性化させ、前記端末の画面出力方向と反対方向の映像を撮影するカメラ活性化段階と、
前記端末が、前記活性化されたカメラ部を通じて撮影されたカメラ映像を前記インスタントメッセージが表示されるチャットウィンドウの背景画面に出力する背景画面切替段階と、
前記端末が、ユーザ入力によって、前記チャットウィンドウの背景画面に表示される前記カメラ映像を前記１つ以上の他の端末に伝送する伝送段階とを含み、
前記伝送段階は、
前記端末が、前記カメラ部の撮影映像が表示されるチャットウィンドウの背景画面が選択されれば、撮影伝送要請のための第２メニューを表示する段階を含み、
前記端末が、前記第２メニューを利用したユーザ入力によって、前記背景画面に表示されるカメラ映像を前記１つ以上の他の端末に伝送することを特徴とするインスタントメッセージングサービス提供方法。
【請求項１３】
前記伝送段階は、
前記端末が、前記カメラ部の撮影映像が表示されるチャットウィンドウの背景画面が選択されれば、前記カメラ映像の選択された部分をフォーカス出力する段階をさらに含むことを特徴とする請求項１２に記載のインスタントメッセージングサービス提供方法。
【請求項１４】
前記背景画面切替段階は、
メニュー画面または初期画面を含む前記インスタントメッセージング機能の他の画面に移動してから前記チャットウィンドウに戻った場合、または、前記インスタントメッセージング機能の終了後に再実行して前記チャットウィンドウに戻った場合にも、維持されることを特徴とする請求項７に記載のインスタントメッセージングサービス提供方法。
【請求項１５】
前記背景画面切替段階は、
バッテリー残余量、節電モード可否、前記インスタントメッセージング機能のバックグラウンド待機時間のうち１つ以上を基準とする設定条件によって解除され、前記チャットウィンドウの背景画面が、指定された停止映像またはグラフィックイメージを含む一般映像に切り替わることを特徴とする請求項７に記載のインスタントメッセージングサービス提供方法。
【請求項１６】
請求項７〜１５のいずれかに記載のインスタントメッセージングサービス提供方法を実行するプログラムを記録したコンピュータ読取可能な記録媒体。
【発明の詳細な説明】
【技術分野】
【０００１】
本発明は、インスタントメッセージングサービスに関し、より詳細には、インスタントメッセージを表示するチャットウィンドウの背景画面に、リアルタイムで撮影されたカメラの映像を出力することによって、ユーザが移動中にインスタントメッセージングサービスを利用することができ、簡単な操作で背景画面のカメラ映像を相手に伝送することができるインスタントメッセージングサービス提供方法、このためのプログラムを記録した記録媒体及び端末に関する。
【背景技術】
【０００２】
情報通信技術の飛躍的な発展に伴い、移動通信端末、個人用コンピュータ等の多様な種類の端末は、多様な機能を実行できるように構成されている。
【０００３】
移動通信端末を例示して説明すれば、移動通信端末は、基本的な音声通信機能からさらに進歩し、最近、データ通信、カメラを利用した写真や動画撮影、音楽または動画ファイル再生、ゲーム、放送視聴等の多様な機能を利用できるように構成されている。
【０００４】
このような端末で実行可能な機能の増大のための技術開発は、持続的に行われており、ハードウェア改良技術はもちろん、ソフトウェア改良技術を中心として持続的に行われている。
【０００５】
一方、最近、このような端末を利用して通信網に接続した後、多数のユーザとメッセージを送受信することによって、対話を進行することができるメッセンジャーサービスの使用頻度が持続的に増加している。
【０００６】
このようなメッセンジャーサービスは、基本的に文字メッセージを基盤とするコミュニケーションサービスであるから、メッセンジャーサービスの利用中に、ユーザは、持続的にキーボードを操作し、送信する文字を入力するか、または、相手が送信した文字を確認する過程が必要であり、移動中にメッセンジャーサービスの利用時に前方注視不注意として事故が発生する可能性がある。
【０００７】
また、既存のメッセンジャーサービスでは、ユーザに多様な便宜機能を提供するために、文字メッセージだけでなく、写真、イモチコン、オーディオ等の多様な形式のメッセージを交換できるように支援している。
【０００８】
ところが、メッセンジャーサービスの利用中に写真を伝送するためには、既に格納された写真イメージのうち選択して伝送を要請するか、または、写真機能を追加的に活性化させて、所望の映像を撮影した後、撮影されたイメージを選択し、伝送を要請しなければならないので、ユーザが数回のキー入力及び複雑な操作を進行しなければならないという問題点があった。
【発明の概要】
【発明が解決しようとする課題】
【０００９】
本発明は、メッセンジャーサービスの利用時にユーザ便宜を向上させるために提案されたものであって、インスタントメッセージを表示するチャットウィンドウの背景画面に、リアルタイムで撮影されたカメラの映像を出力することによって、ユーザがチャットウィンドウの背景画面を通じて前方を確認できるようにして、移動中にインスタントメッセージングサービスを利用することができる、インスタントメッセージングサービス提供方法、このためのプログラムを記録した記録媒体及び端末を提供する。
【００１０】
また、本発明は、チャットウィンドウの背景画面をタッチする等の簡単な操作だけでカメラのリアルタイムの撮影映像を対話に参加した相手端末に伝送するようにして、インスタントメッセージングサービスの利用中に周辺状況を相手と容易に共有することができる、インスタントメッセージングサービス提供方法、このためのプログラムを記録した記録媒体及び端末を提供する。
【課題を解決するための手段】
【００１１】
前述した課題の解決手段として、本発明の一実施例による端末は、映像を撮影するためのカメラ部と、インスタントメッセージング機能と関連したユーザ入力のための入力部と、チャットウィンドウを含む前記インスタントメッセージング機能の実行によるユーザインターフェース画面を出力する表示部と、前記カメラ部、前記入力部及び前記表示部と機能的に連結され、１つ以上の他の端末とインスタントメッセージを送受信するインスタントメッセージング機能を実行する間に、背景画面切替を要請するユーザ入力によって前記カメラ部を活性化させ、前記表示部の画面出力方向と反対方向の映像を撮影するようにしながら、前記１つ以上の他の端末と送受信するインスタントメッセージを表示するチャットウィンドウの背景画面に、前記活性化されたカメラ部を通じて撮影された映像が表示されるように制御する制御部とを含み、前記制御部は、前記チャットウィンドウの背景画面に前記カメラ部で撮影された映像を表示する間に、カメラ映像伝送を要請するユーザ入力によって、前記背景画面に出力される前記カメラ部の撮影映像を前記１つ以上の他の端末に伝送し、前記カメラ映像伝送を要請するユーザ入力は、がちゃん、伝送、撮影、撮り、共有、フォト、写真、キャプチャーのうちいずれか１つを含む撮影、伝送、共有と関連した既定の単語、前記単語を含む文章、前記単語または前記文章の縮約語のうち１つ以上を含む文字の入力であることを特徴とする。
【００１３】
この際、本発明の一実施例による端末において、制御部は、カメラ映像伝送を要請するユーザ入力があれば、背景画面に出力されるカメラ部の撮影映像をイメージとして格納し、前記格納されたイメージをチャットウィンドウに送信メッセージのような形態で表示するように表示部を制御する。
【００１５】
本発明の一実施例による端末において、カメラ部は、インスタントメッセージング機能を実行する間にユーザの前方映像を撮影するように、表示部の画面出力方向の反対方向を撮影するように装着される。
【００１６】
また、本発明の実施例による端末において、制御部は、インスタントメッセージング機能を実行する間に、チャットウィンドウの背景画面をカメラ映像に切替設定することができる第１メニューを出力し、第１メニューを用いたユーザ入力によって、カメラ部を活性化させ、チャットウィンドウの背景画面に前記活性化されたカメラ部の撮影映像が表示されるように制御するか、あるいは、チャットウィンドウの背景画面をカメラ映像に切替要請するためのユーザ入力を設定し、設定されたユーザ入力が発生すれば、カメラ部を活性化させ、チャットウィンドウの背景画面に活性化されたカメラ部の撮影映像が表示されるように制御する。
【００１７】
また、本発明の実施例による端末において、制御部は、メニュー画面または初期画面を含む前記インスタントメッセージング機能の他の画面に移動してから前記チャットウィンドウに戻った場合、または、前記インスタントメッセージング機能の終了後に再実行して前記チャットウィンドウに戻った場合に、前記チャットウィンドウの背景画面に前記カメラ部の撮影映像を出力する状態を維持するように制御することができ、一方、バッテリー残余量、節電モード可否、前記インスタントメッセージング機能のバックグラウンド待機時間のうち１つ以上を基準とした設定条件によって、前記チャットウィンドウの背景画面を、前記カメラ部の撮影映像から、指定された停止映像及びグラフィックイメージを含む一般映像に切り替えるように制御することもできる。
【００１８】
また、本発明は、前述した課題の他の解決手段として、端末が、１つ以上の他の端末とインスタントメッセージを送受信するインスタントメッセージング機能を実行する間に、カメラ映像への背景画面切替可否を確認する確認段階と、前記端末が、前記カメラ映像への背景画面切替を確認すれば、端末に連結されたカメラ部を活性化させ、前記端末の画面出力方向と反対方向の映像を撮影するカメラ活性化段階と、前記端末が、前記活性化されたカメラ部を通じて撮影されたカメラ映像をインスタントメッセージが表示されるチャットウィンドウの背景画面に出力する背景画面切替段階と、前記端末が、ユーザ入力によって、前記チャットウィンドウの背景画面に表示される前記カメラ映像を前記１つ以上の他の端末に伝送する伝送段階とを含み、前記伝送段階のユーザ入力は、がちゃん、伝送、撮影、撮り、共有、フォト、写真、キャプチャーのうちいずれか１つを含む撮影、伝送、共有と関連した既定の単語、前記単語を含む文章、前記単語または前記文章の縮約語のうち１つ以上を含む文字の入力であることを特徴とするインスタントメッセージングサービス提供方法を提供する。
【００１９】
本発明の一実施例によるインスタントメッセージングサービス提供方法は、前記端末が、ユーザ入力によって、前記チャットウィンドウの背景画面に表示されるカメラ映像を格納する格納段階をさらに含む。
【００２２】
また、本発明の一実施例によるインスタントメッセージングサービス提供方法は、前記端末が、１つ以上の他の端末に伝送されたカメラ映像を前記チャットウィンドウに送信メッセージのような形態で表示する段階をさらに含む。
【００２３】
本発明の一実施例によるインスタントメッセージングサービス提供方法において、確認段階は、前記端末が、チャットウィンドウの背景画面をカメラ映像に切替設定するための第１メニューを提供する段階と、前記端末が、ユーザ入力による第１メニューの設定情報を基準にして、背景画面の切替可否を確認する段階とを含む。
【００２４】
また、本発明の他の実施例によるインスタントメッセージングサービス提供方法において、確認段階は、前記端末が、チャットウィンドウの背景画面をカメラ映像に切替要請するために既定のユーザ入力を確認する段階である。
【００２５】
さらに、本発明は、前述した課題の他の解決手段として、端末が、１つ以上の他の端末とインスタントメッセージを送受信するインスタントメッセージング機能を実行する間に、カメラ映像への背景画面切替可否を確認する確認段階と、前記端末が、前記カメラ映像への背景画面切替を確認すれば、前記端末に連結されたカメラ部を活性化させ、前記端末の画面出力方向と反対方向の映像を撮影するカメラ活性化段階と、前記端末が、前記活性化されたカメラ部を通じて撮影されたカメラ映像を前記インスタントメッセージが表示されるチャットウィンドウの背景画面に出力する背景画面切替段階と、前記端末が、ユーザ入力によって、前記チャットウィンドウの背景画面に表示される前記カメラ映像を前記１つ以上の他の端末に伝送する伝送段階とを含み、伝送段階は、前記端末が、カメラ部の撮影映像が表示されるチャットウィンドウの背景画面が選択されれば、撮影伝送要請のための第２メニューを表示する段階を含み、前記端末が、第２メニューを利用したユーザ入力によって、前記背景画面に表示されるカメラ映像を１つ以上の他の端末に伝送することを特徴とするインスタントメッセージングサービス提供方法を提供する。
【００２６】
また、本発明の一実施例によるインスタントメッセージングサービス提供方法において、伝送段階は、前記端末が、カメラ部の撮影映像が表示されるチャットウィンドウの背景画面が選択されれば、カメラ映像の選択された部分をフォーカス出力する段階をさらに含む。
【００２７】
さらに、本発明の一実施例によるインスタントメッセージングサービス提供方法において、背景画面切替段階は、メニュー画面または初期画面を含むインスタントメッセージング機能の他の画面に移動してからチャットウィンドウに戻った場合、または、インスタントメッセージング機能の終了後に再実行してチャットウィンドウに戻った場合にも、維持されてよく、一方、バッテリー残余量、節電モード可否、インスタントメッセージング機能のバックグラウンド待機時間のうち１つ以上を基準とする設定条件によって解除され、チャットウィンドウの背景画面が、指定された停止映像またはグラフィックイメージを含む一般映像に切り替わってもよい。
【００２８】
また、本発明は、前述したインスタントメッセージングサービス提供方法を実行するプログラムを記録したコンピュータ読取可能な記録媒体をさらに提供する。
【発明の効果】
【００２９】
本発明によれば、２つ以上の端末間に送受信されるインスタントメッセージを表示するチャットウィンドウの背景画面に、リアルタイムに撮影されたカメラの映像を出力することによって、ユーザがインスタントメッセージを通じて相手とコミュニケーションしながら、チャットウィンドウの背景画面を通じて前方や周辺状況を確認することができる。
【００３０】
特に、本発明によれば、インスタントメッセージングサービスの利用中にチャットウィンドウの背景画面に表示されたカメラのリアルタイムの撮影映像を通じてユーザ前方の状況を確認することができ、安全に移動しながらインスタントメッセージを利用する等、ユーザ便宜性を向上させることができる。
【００３１】
また、本発明は、ユーザがインスタントメッセージングサービスの利用中にチャットウィンドウの背景画面に表示されたカメラのリアルタイムの撮影映像を通じてユーザ前方の状況を確認しながら、背景画面のタッチ等の簡単な操作だけで確認したカメラ撮影映像を対話中の相手の端末に伝送することによって、対話中の相手と周辺の多様な状況をリアルタイムで共有できるという優れた効果がある。
【図面の簡単な説明】
【００３２】
【図１】本発明の実施例によるインスタントメッセージングサービスシステムの概略的な構成図である。
【図２】本発明の実施例による端末の主要構成を示すブロック図である。
【図３】本発明の実施例による端末において、制御部の詳細構成を示すブロック図である。
【図４】本発明の実施例によるサービス装置の主要構成を示すブロック図である。
【図５】本発明の実施例によるインスタントメッセージングサービス提供方法を説明するための流れ図である。
【図６】本発明の実施例によるインスタントメッセージングサービス提供のためのサービス装置と端末装置の連動動作を示すメッセージ流れ図である。
【図７−１５】本発明の実施例によるインスタントメッセージングサービスを示す例示図である。
【発明を実施するための形態】
【００３３】
以下、添付の図面を参照して本発明の属する技術分野における通常の知識を有する者が本発明を容易に実施することができる好適な実施例を詳しく説明する。但し、本発明の好適な実施例に対する動作原理を詳細に説明するにあたって、関連された公知機能または構成に対する具体的な説明が本発明の要旨を不明確にし得ると判断される場合には、その詳細な説明を省略する。これは、不要な説明を省略することによって、本発明の核心を不明にせず、さらに明確に伝達するためである。また、第１、第２等の用語は、多様な構成要素を説明するために使用するもので、１つの構成要素を他の構成要素から区別する目的だけで使用され、構成要素を限定するために使用されない。
【００３４】
また、図面全体にわたって類似の機能及び作用をする部分については、同一の参照符号を使用する。
【００３５】
また、本発明の端末は、多様な形態で実現されてよい。例えば、本明細書で記述される端末は、スマートフォン（ｓｍａｒｔ  ｐｈｏｎｅ）、タブレットパソコン（Ｔａｂｌｅｔ  ＰＣ）、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ＭＰ３  Ｐｌａｙｅｒ等の移動端末機はもちろん、スマートテレビ（Ｓｍａｒｔ  ＴＶ）、デスクトップコンピュータ等の固定端末機であってもよく、通信網を通じて他のユーザとメッセージを送受信することができる端末であれば、いずれの装置も本発明の端末に適用可能である。
【００３６】
以下、本発明の実施例によるインスタントメッセージングサービスシステムについて説明する。
【００３７】
図１は、本発明の実施例によるインスタントメッセージングサービスシステムの概略的な構成図である。
【００３８】
図１を参照すれば、本発明の実施例によるインスタントメッセージングサービスシステム１００は、多数の端末１０、サービス装置２０及び通信網３０を含む。
【００３９】
まず、多数の端末１０は、１つ以上の相手端末とインスタントメッセージを送受信するか、または、動画、写真、オーディオ等のコンテンツを共有することができるインスタントメッセージングサービスを支援できる装置であって、ユーザが利用可能な装置である。多数の端末１０は、インスタントメッセージングサービスを支援するメッセンジャープログラムを具備してよい。
【００４０】
ここで、メッセンジャープログラムは、サービス装置２０によって提供可能なものであり、サービス装置２０と連動してインスタントメッセージングサービス（Ｉｎｓｔａｎｔ  Ｍｅｓｓａｇｉｎｇ  Ｓｅｒｖｉｃｅ）を提供することができるプログラムであってよい。すなわち、メッセンジャープログラムは、インスタントメッセージの作成、１つ以上の相手端末とインスタントメッセージの送受信、１つ以上の相手端末と送受信するインスタントメッセージの表示、動画、写真、オーディオ等のコンテンツ伝送機能のうち１つ以上を行うプログラムを意味する。
【００４１】
本発明の一実施例では、多数の端末１０内のメッセンジャープログラムが具備されている状態を中心に説明するが、これに限定されるものではなく、端末１０がサービス装置２０に接続し、クラウドコンピューティング基盤でメッセンジャープログラムを利用することもできる。
【００４２】
また、多数の端末１０は、サービス装置２０に接続し、サーバー基盤のインスタントメッセージングサービスを提供されてよい。この際、多数の端末１０のメッセンジャープログラムは、ウェブブラウザー等に代替されてよい。
【００４３】
このような端末１０は、メッセンジャープログラムを実行し、メッセンジャープログラム実行画面（例えば、初期画面、チャットウィンドウ画面等）を表示することができる。ここで、メッセンジャープログラムは、ユーザの要請に応じて実行されるか、または、特定イベントの発生時に実行されてよい。例えば、相手からメッセージが受信されるときまたはサービス装置２０から特定情報が受信されるとき等の特定イベントの発生時に端末１０のメッセンジャープログラムが実行される。
【００４４】
特に、本発明の実施例による端末１０は、１つ以上のカメラを具備するか、または、１つ以上のカメラと連結され、カメラの撮影映像を表示可能なものであって、１つ以上の他の端末とインスタントメッセージを送受信するメッセンジャープログラムを実行する間に、ユーザ入力によってカメラを活性化させ、１つ以上の他の端末間に送受信されるインスタントメッセージを表示するチャットウィンドウの背景画面をカメラのリアルタイムの撮影映像に切り替えて表示することができる。これにより、カメラで撮影されたリアルタイムの映像がチャットウィンドウの背景画面に出力され、リアルタイムの映像の上に送受信されるインスタントメッセージが表示される。
【００４５】
その結果、ユーザは、チャットウィンドウを通じて１つ以上の他の端末のユーザとインスタントメッセージを交換しながら、前方または周辺の状況をチャットウィンドウの背景画面を通じてリアルタイムで確認することができる。
【００４６】
また、本発明の実施例による端末１０は、チャットウィンドウを通じて１つ以上の他の端末のユーザがインスタントメッセージを交換する間に、ユーザ入力によって、チャットウィンドウの背景画面に表示されるカメラのリアルタイムの撮影映像を格納するか、または、１つ以上の他の端末に伝送することができる。この際、格納または伝送されるリアルタイムの撮影映像は、特定時点の停止映像または所定時間区間の動画であってよい。これによれば、ユーザは、インスタントメッセージを交換する間に、周辺の状況を対話中の相手とリアルタイムで共有することができる。この際、共有される撮影映像は、チャットウィンドウに伝送メッセージまたは受信メッセージのような形態で表示されてよい。また、端末１０は、チャットウィンドウの背景画面に出力されるリアルタイムの撮影映像を、対話中の相手の端末に送信し、相手端末のチャットウィンドウ背景画面に表示してよい。すなわち、端末１０のユーザ自分が見ている背景画面を相手も一緒に見られるように背景画面の同期化を行ってよい。
【００４７】
次に、サービス装置２０は、端末１０のメッセンジャープログラムを通じてインスタントメッセージングサービスを提供するためのサービス提供者のサーバー装置であって、基本的に多数の端末１０の間にインスタントメッセージを伝達する。例えば、サービス装置２０は、端末１０からの要請によって、２つ以上の端末１０が参加者として登録された対話グループを設定し、対話グループに含まれた特定端末１０から伝送されたインスタントメッセージを対話グループに含まれた他の端末に伝達する。また、サービス装置２０は、対話グループに含まれた特定端末１０から伝送された写真、動画、オーディオ等の多様なコンテンツを、対話グループに含まれる他の端末に伝送する。
【００４８】
また、サービス装置２０は、多数の端末１０のメッセンジャープログラムを通じて発生する多様な情報を提供することができるストレッジ空間をクラウドサービス方式で端末１０に提供することができる。すなわち、対話グループに参加した２つ以上のユーザ間のインスタントメッセージメッセージまたはコンテンツ等を格納し管理することによって、ユーザのライフＤＢ（ｌｉｆｅ  ＤＢ）の役割を担うことができる。ここで、格納されるコンテンツは、端末１０で背景画面に表示されるリアルタイムの映像を含んでよい。
【００４９】
したがって、端末１０のユーザは、自分が相手と取り交わしたメッセージまたはコンテンツを確認するためにサービス装置２０に接続し、これを確認することができる（ここで、接続は、端末１０を通じてサービス装置２０に別途のログイン等の手続を経る過程を含んでよい。また、ログイン等の手続を経ることなく、自動的にサービス装置２０に連結される過程を含んでよい）。
【００５０】
これとは異なって、インスタントメッセージングサービスを通じて送受信されたメッセージまたはコンテンツは、端末１０とサービス装置２０に同時に格納されてよく、ユーザの選択によって特定メッセージまたは特定コンテンツのみをサービス装置２０に格納してもよい。
【００５１】
その他、サービス装置２０は、多数の端末１０にインスタントメッセージングサービスを提供するために、加入されたユーザをユーザ識別子で区分し、それぞれの加入されたユーザに対して状態、受信モード、メッセージ受信者リスト及び加入者環境情報、接続中の（Ｏｎ−ｌｉｎｅ）ユーザの間にインスタントメッセージ伝達のためのＩＭ（Ｉｎｓｔａｎｔ  Ｍｅｓｓａｇｉｎｇ）対話セッション、すなわち対話チャネルを含むメッセンジャー設定情報を管理することができる。また、サービス装置２０は、ＳＩＰ（Ｓｅｓｓｉｏｎ  Ｉｎｉｔｉａｔｉｏｎ  Ｐｒｏｔｏｃｏｌ）呼処理及びＭＳＲＰ（Ｍｅｓｓａｇｅ  Ｓｅｓｓｉｏｎ  Ｒｅｌａｙ  Ｐｒｏｔｏｃｏｌ）リレー機能等を行うことができ、これにより、多数の端末、例えば、第１端末と第２端末との間にチャットサービス提供が可能である。
【００５２】
また、本発明において、サービス装置２０は、端末１０からチャットウィンドウ背景画面に出力されるリアルタイムの撮影映像を相手の端末に伝送し、対話中の２つ以上の端末１０の背景画面に同一のリアルタイムの映像が出力されるように支援する。
【００５３】
このようなサービス装置２０は、前述したような動作を支援するために多様な装置の集合として実現可能である。例えば、関連した多様な情報を格納し管理することができるデータベースサーバー、ファイル処理のためのファイルサーバー、端末１０に関連した情報を自動的にプッシュ（ｐｕｓｈ）することができるプッシュサーバー等を含んでよい。
【００５４】
その他、システム設計方式によって多様なサーバーを含んでよい。また、サーバーに対応する１つのモジュールを１つのサービス装置２０内に含んでもよい。
【００５５】
また、本発明の実施例による多数の端末１０及びサービス装置２０は、通信網３０を通じて関連した多様な情報を送受信する。通信網３０としては、多様な形態の通信網を利用可能である。
【００５６】
例えば、３世代移動通信、４世代移動通信、ＷＬＡＮ（Ｗｉｒｅｌｅｓｓ  ＬＡＮ）、ワイファイ（Ｗｉ−Ｆｉ）、ワイブロ（Ｗｉｂｒｏ）、ワイマックス（Ｗｉｍａｘ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）等の無線通信方式またはイーサネット（Ｅｔｈｅｒｎｅｔ）、ｘＤＳＬ（ＡＤＳＬ、ＶＤＳＬ）、ＨＦＣ（Ｈｙｂｒｉｄ  Ｆｉｂｅｒ  Ｃｏａｘｉａｌ  Ｃａｂｌｅ）、ＦＴＴＣ（Ｆｉｂｅｒ  ｔｏ  Ｔｈｅ  Ｃｕｒｂ）、ＦＴＴＨ（Ｆｉｂｅｒ  Ｔｏ  Ｔｈｅ  Ｈｏｍｅ）等の有線通信方式、または、これらの組合せを利用することができる。また、前述した通信方式以外にも、その他広く公知されたか、または今後開発されるすべての形態の通信方式を含んでよい。
【００５７】
以下、本発明の実施例による端末１０の主要構成及び動作方法について説明する。
【００５８】
図２は、本発明の実施例による端末１０の主要構成を示すブロック図である。
【００５９】
図２を参照すれば、本発明の実施例による端末１０は、通信部１１、入力部１２、制御部１３、格納部１４、表示部１５及びカメラ部１６を含む。
【００６０】
ここで、通信部１１、入力部１２、制御部１３、格納部１４、表示部１５及びカメラ部１６は、本発明で記述する機能を実行するために、図２に示されたように、相互機能的に連結される。
【００６１】
各構成要素についてさらに具体的に説明すれば、通信部１１は、サービス装置２０及び１つ以上の相手端末と関連情報の送受信を支援する役割を担う。
【００６２】
基本的に通信部１１は、メッセンジャープログラムのチャットウィンドウ画面を通じてユーザから入力されたインスタントメッセージをサービス装置２０を通じて当該対話に参加した１つ以上の他の端末に伝送し、１つ以上の他の端末から伝送されたインスタントメッセージを受信することができる。ここで、インスタントメッセージの送受信は、サービス装置２０を通じて行われてよい。
【００６３】
また、通信部１１は、ユーザ入力による発生したインスタントメッセージングサービスと関連した多様な要請メッセージをサービス装置２０に伝送することができる。そして、通信部１１は、サービス装置２０からインスタントメッセージング関連情報を受信することができる。
【００６４】
また、通信部１１は、チャットウィンドウの背景画面に出力されるリアルタイムのカメラ映像のうちユーザ入力によって選択されたカメラ映像を１つ以上の他の端末に伝送することができる。
【００６５】
入力部１２は、ユーザから入力される数字及び文字情報等の多様な情報、各種機能設定及び端末１０の機能制御と関連して入力される信号を制御部１３に伝達する。本発明において、入力部１２は、インスタントメッセージング機能と関連したユーザ入力を制御部１３に伝達することができる。具体的に、インスタントメッセージング機能と関連したユーザ入力は、チャットウィンドウの背景画面をカメラ映像に切り替えるためのユーザ入力、チャットウィンドウの背景画面に出力されるカメラ映像を格納するか、または、対話に参加した他の端末に伝送するためのユーザ入力を含んでよい。
【００６６】
このような入力部１２は、キーボードやキーパッドのようなキー入力手段、タッチセンサーやタッチパッドのようなタッチ入力手段、音声入力手段、ジャイロセンサー、地磁気センサー、加速度センサーと近接センサー、そしてカメラのうち少なくとも１つ以上を含んでなるジェスチャー入力手段のうち１つ以上を含んでよく、その他、現在開発中であるか、または今後開発され得るすべての形態の入力手段を含んでよい。したがって、インスタントメッセージング機能と関連したユーザ入力は、クリックのようなマウス入力、キー入力、フリック、スワイプ、フリック、シングルタッチ、マルチタッチのようなタッチ入力、音声入力、ジェスチャー入力等、多様な形態であってよい。
【００６７】
制御部１３は、端末１０の全般的な制御を行うものであって、例えば、端末１０を構成する各構成要素に電源供給及び機能実行のための信号のフローを制御する。この際、制御部１３は、オペレーティングシステム（ＯＳ、Ｏｐｅｒａｔｉｏｎ  Ｓｙｓｔｅｍ）、応用プログラム及び各構成を駆動させるプロセス装置、例えば、中央処理装置（ＣＰＵ、Ｃｅｎｔｒａｌ  Ｐｒｏｃｅｓｓｉｎｇ  Ｕｎｉｔ）よりなってよい。
【００６８】
特に、本発明の実施例による制御部１３は、メッセンジャープログラムを実行し、メッセンジャープログラムを通じて発生する多様な機能実行を制御する。基本的に、制御部１３は、ユーザの要請または既定のイベント発生が感知されれば、メッセンジャープログラムが実行されるように制御し、メッセンジャープログラム実行画面が表示部１５に表示されるように制御する。
【００６９】
また、制御部１３は、メッセンジャープログラムを通じてユーザの要請に応じて特定相手を選択し、相手とのメッセージまたはコンテンツ送受信のための全般的な過程を制御する。その他、制御部１３は、メッセンジャープログラムが提供する各種機能実行のための多様な動作を支援する。
【００７０】
特に、本発明において、制御部１３は、１つ以上の他の端末とインスタントメッセージを送受信するインスタントメッセージング機能を実行する間に、ユーザ入力によってカメラ部１６を活性化させ、１つ以上の他の端末間に送受信されるインスタントメッセージを表示するチャットウィンドウの背景画面に、活性化されたカメラ部１６でリアルタイムに撮影されたカメラ映像が表示されるように制御する。このために、制御部１３は、インスタントメッセージング機能を実行する間に、チャットウィンドウの背景画面をカメラ映像に切替設定するための第１メニューを表示部１５に出力し、第１メニューを通じてユーザが背景画面をカメラ映像に切り替えるように設定した場合、カメラ部１６を活性化させ、チャットウィンドウの背景画面に活性化されたカメラ部の撮影映像が表示されるように制御する。例えば、カメラ背景オン／オフを設定するためのメニューを提供し、カメラ背景オン状態でメニューの選択（またはクリック）時にカメラ背景オフに設定されるようにし、反対に、カメラ背景オフ状態でメニューの選択時にカメラ背景オンが設定されるようにする。その他、制御部１３は、カメラ映像への背景画面切替要請のために既定のユーザ入力、例えば、音声認識技術を利用した指定された音声命令の認識、または、指定されたタッチまたはスワイプ等のタッチ入力、キー入力が認識されれば、カメラ部１６を活性化させて、チャットウィンドウの背景画面にカメラ部１６のリアルタイムの撮影映像が出力されるように制御する。このために、制御部１３は、カメラ映像への背景画面切替要請のためのユーザ入力を設定する機能をさらに行うことができる。
【００７１】
そして、背景画面にカメラ映像を出力する状態は、既定の条件によって維持される。例えば、ユーザがチャットウィンドウに移動してからさらに当該チャットウィンドウに戻ったとき、背景画面にカメラ映像が出力される状態が維持される。これは、他の機能を実行するかまたはメッセンジャープログラムをさらに実行し、当該チャットウィンドウにさらに入った場合にも同一に適用される。
【００７２】
すなわち、制御部１３は、インスタントメッセージング機能の他の画面（例えば、メニュー画面または初期画面を含む他の画面）に移動してからチャットウィンドウに戻った場合、または、インスタントメッセージング機能の終了後に再実行してチャットウィンドウに戻った場合に、チャットウィンドウの背景画面にカメラ部の撮影映像を出力する状態を維持するように制御する。
【００７３】
反対に、当該チャットウィンドウを閉めて他の機能を実行する場合、所定期間の間にメッセンジャープログラムを実行しない場合、また、端末１０のバッテリーが既定値以下の場合等の既定の条件に該当する場合、背景画面をカメラ映像から一般映像（停止映像またはグラフィックイメージ）等に切り替えることもできる。
【００７４】
すなわち、制御部１３は、バッテリー残余量、節電モード可否、インスタントメッセージング機能のバックグラウンド待機時間のうち１つ以上を基準とする設定条件によって、チャットウィンドウの背景画面をカメラ部１６の撮影映像から指定された停止映像またはグラフィックイメージを含む一般映像に切り替えるように制御する。
【００７５】
また、制御部１３は、前述したように、チャットウィンドウの背景画面にカメラ部１６で撮影された映像を表示する間に、ユーザ命令によってチャットウィンドウの背景画面に出力されるカメラ映像を格納するか、または、格納した撮影映像をチャットウィンドウに登録された１つ以上の他の端末に伝送するように制御する。格納または伝送されるカメラ映像は、停止映像または所定時間の間に撮影された動画を含んでよい。すなわち、チャットウィンドウを通じて他のユーザと話し合う間に、周辺映像を撮影するか、または、撮影された映像を対話中の他のユーザに伝送することができる。これによれば、ユーザは、チャットウィンドウを通じて他のユーザと話し合う間に、対話の断絶なしに周辺の面白い状況や風景を、撮影して格納するかまたは相手に伝送する機能を同時に利用できる。
【００７６】
このために、制御部１３は、チャットウィンドウの背景画面にカメラ部１６のリアルタイムの撮影映像を表示する間に、カメラ映像の格納（または撮影）または伝送を命令するための第２メニューを表示し、第２メニューを用いたユーザの命令によって、背景画面に出力されるカメラ映像を格納するか、または、相手に伝送することができる。さらに具体的に、第２メニューとして当該チャットウィンドウ画面に、カメラ映像の格納または伝送を命令するボタンを表示し、ボタンが選択される時点の停止映像または一定時間の間に撮影された動画を格納するか、または、他の端末に伝送することができる。この際、ユーザの写真撮影を補助するために、背景画面に表示されたカメラ映像の選択部分をフォーカスしてよい。さらに他の例で、制御部１３は、チャットウィンドウの背景画面にカメラ部１６のリアルタイムの撮影映像を表示する間に、チャットウィンドウを通じて指定された文字、例えば、“がちゃん”、“撮影”、“伝送”等の文字が入力されれば、文字をカメラ映像の格納または伝送を要請するユーザ命令として認識し、背景画面に出力されるカメラ部１６のリアルタイムの撮影映像を格納するか、または、チャットウィンドウに登録された１つ以上の他の端末に伝送する。この際、チャットウィンドウを通じて入力された文字は、相手に伝送されない。また、指定された文字の入力は、各音節の初声だけを入力する場合をも含む。すなわち、制御部１３は、カメラ映像の格納または伝送を要請するためのユーザ入力として、がちゃん、伝送、撮影、撮り、共有、フォト、写真、キャプチャーのうちいずれか１つを含む撮影、伝送、共有と関連した既定の単語、単語を含む文章、単語または文章の初声、単語または文章の縮約語のうち１つ以上を含むユーザ入力が発生すれば、背景画面に出力されるカメラ部１６のリアルタイムの撮影映像をチャットウィンドウに登録された１つ以上の他の端末に伝送する。
【００７７】
図３は、本発明の実施例による端末１０において、インスタントメッセージングサービスを行うための制御部１３の構成を示す機能ブロック図である。図３で表示されるモジュールは、インスタントメッセージングサービスと関連した制御部１３の機能を示すものであって、ソフトウェア、ハードウェア、または、ソフトウェアとハードウェアの組合せによって実現可能である。
【００７８】
図３を参照すれば、本発明の実施例による端末１０の制御部１３は、メッセンジャー設定モジュール１３ａ、背景画面制御モジュール１３ｂ、メッセンジャー制御モジュール１３ｃを含んでよい。
【００７９】
メッセンジャー設定モジュール１３ａは、メッセンジャープログラムのインスタントメッセージング機能と関連した多様な設定情報を定義するための構成であって、例えば、対話相手設定、対話相手追加、インスタントメッセージの着信通知方法設定、チャットウィンドウの背景イメージ設定、対話内訳管理、カメラ撮影映像に背景画面を切り替えるか否かを示す背景画面切替設定のうち１つ以上に対する設定画面をユーザに提供し、入力部１２を用いたユーザ入力によって、上記の情報を設定することができる。このために、メッセンジャー設定モジュール１３ａは、背景画面切替設定のための第１メニュー、リアルタイムの映像の格納撮影及び／または伝送のための第２メニューを提供することができる。
【００８０】
背景画面制御モジュール１３ｂは、メッセンジャー設定モジュール１３ａの背景画面と関連した設定情報によって、対話中の背景画面を制御するための構成であって、カメラ撮影映像に背景画面を切り替えることに設定された場合、チャットウィンドウの背景画面を透明イメージに調節し、カメラ部１６の撮影映像が表示されるように制御する。一方、カメラ撮影映像に背景画面を切り替えるものと設定されていない場合には、メッセンジャー設定モジュール１３ａを通じて設定された背景イメージをチャットウィンドウの背景画面に出力する。
【００８１】
メッセンジャー制御モジュール１３ｃは、メッセンジャー設定モジュール１３ａの設定情報を基盤でインスタントメッセージング機能を実行するための構成であって、ユーザ入力によって、端末１０のユーザ及び１つ以上の他の端末のユーザが参加者に登録されたチャットウィンドウを生成し、文字作成のためのキーパッド画面を表示し、キーパッド画面を通じて入力された文字をインスタントメッセージにして参加者として登録された１つ以上の他の端末に伝送し、１つ以上の他の端末から受信されたインスタントメッセージをチャットウィンドウを通じて出力する等のインスタントメッセージング機能実行を制御する。
【００８２】
特に、メッセンジャー制御モジュール１３ｃは、背景画面制御モジュール１３ｂの制御によって、チャットウィンドウの背景画面にカメラ部１６のリアルタイムの撮影映像が出力される状態で、ユーザの撮影要請が発生すれば、背景画面に出力されるカメラ部１６のリアルタイムの撮影映像を格納し、格納されたリアルタイムの撮影映像を１つ以上の他の端末、すなわち、対話相手の端末に伝送する。この際、ユーザの撮影要請は、ユーザが背景画面をタッチまたはクリックする等により背景画面を選択するか、あるいは、ユーザがチャットウィンドウに“がちゃん”、“撮影”、“伝送”等の指定された文字を入力することによって発生してよい。この際、チャットウィンドウに入力された文字は、相手に伝送せず、撮影命令として認識し、背景画面に出力されるカメラ部１６のリアルタイムの撮影映像を格納し、格納されたリアルタイムの撮影映像を１つ以上の他の端末に伝送する。ここで、背景画面に出力されるリアルタイムの撮影映像を撮影し、相手に伝送するために使用される文字は、多様に設定されてよい。
【００８３】
さらに図２に戻って、本発明の実施例による端末１０において、格納部１４は、端末の動作と関連したプログラム及びユーザデータを格納するための構成であって、特に本発明の格納部１４は、メッセンジャープログラム１４ａを格納することができ、格納部１４に格納されたメッセンジャープログラムは、制御部１３を通じて実行可能である。
【００８４】
このような格納部１４は、大きく、プログラム領域とデータ領域を含んでよい。プログラム領域は、クライアント端末１０を起動させるオペレーティングシステム（ＯＳ）のような端末１０駆動と関連した情報を格納する。データ領域は、端末１０の使用によって発生するデータが格納される領域であって、前述したように、メッセンジャープログラム１４ａ、その他アプリケーション、コンテンツ等が格納されてよい。また、格納部１４は、フラッシュメモリ（ｆｌａｓｈ  ｍｅｍｏｒｙ）、ハードディスク（ｈａｒｄ  ｄｉｓｋ）、マルチメディアカードマイクロ（ｍｕｌｔｉｍｅｄｉａ  ｃａｒｄ  ｍｉｃｒｏ）タイプのメモリ（例えば、ＳＤまたはＸＤメモリ等）、ＲＡＭ、ＲＯＭ等の格納媒体を含んでよい。
【００８５】
そして、表示部１５は、端末１０の機能実行中に発生する一連の動作状態及び動作結果等に対する情報を表示する。特に、本発明の表示部１５は、インスタントメッセージング機能の実行中に発生する多様なユーザインターフェース画面を表示することができ、具体的には、背景画面をカメラ部１６のリアルタイムの撮影映像に切り替えるための第１メニュー、背景画面を通じて表示されるカメラ部１６のリアルタイムの撮影映像を格納するか、または、対話に参加した他の端末に伝送するための第２メニュー、カメラ部１６のリアルタイムの撮影映像が背景画面に出力され、背景画面の上に送受信されるインスタントメッセージが表示されるチャットウィンドウ画面、メッセージ作成のための入力画面等を出力できる。
【００８６】
このような表示部１５は、前述したように、入力部１２とともに１つのタッチパネル（またはタッチスクリーン）の形態で実現可能である。表示部１５を入力部１２とともに実現する場合、ユーザの既定の動作、ドラッグアンドドロップ動作等によって発生する多様な情報を表示することができる。また、表示部１５は、ＬＣＤ（Ｌｉｑｕｉｄ  Ｃｒｙｓｔａｌ  Ｄｉｓｐｌａｙ）、ＴＦＴ−ＬＣＤ（Ｔｈｉｎ  Ｆｉｌｍ  Ｔｒａｎｓｉｓｔｏｒ  ＬＣＤ）、ＯＬＥＤ（Ｏｒｇａｎｉｃ  Ｌｉｇｈｔ  Ｅｍｉｔｔｉｎｇ  Ｄｉｏｄｅｓ）、発光ダイオード（ＬＥＤ）、ＡＭＯＬＥＤ（Ａｃｔｉｖｅ  Ｍａｔｒｉｘ  Ｏｒｇａｎｉｃ  ＬＥＤ）、フレキシブルディスプレイ（Ｆｌｅｘｉｂｌｅ  ｄｉｓｐｌａｙ）及び３次元ディスプレイ（３  Ｄｉｍｅｎｓｉｏｎ）等で構成されてよい。
【００８７】
最後に、カメラ部１６は、制御部１３の制御によって活性化され、レンズ前方の映像をリアルタイムで撮影するように構成されている。このようなカメラ部１６は、インスタントメッセージング機能を実行する間に、ユーザの前方映像を撮影できるように、表示部１５の画面出力方向と対向する方向を撮影するように端末１０に具備されてよい。通常、カメラ部１６は、端末１０の後面に装着される。また、カメラ部１６は、端末１０に内装型だけでなく、外装型として具備されてよい。
【００８８】
このように、図２〜図３を参照して端末１０の主要構成について説明した。しかし、図２〜図３を参照して示された構成要素がいずれも端末１０の必須構成要素ではない。
【００８９】
例えば、端末１０は、電気的な信号である音源をアナログ信号に変換して出力可能な音源出力部のようなさらに多い構成要素により実現することができ、それよりさらに少ない構成要素により端末１０を実現することもできる。
【００９０】
以下、本発明の実施例によるサービス装置２０の主要構成及び動作方法について説明する。
【００９１】
図４は、本発明の実施例によるサービス装置の主要構成を示すブロック図である。図１及び図４を参照すれば、本発明のサービス装置２０は、サービス通信部２１、サービス制御部２２、サービス格納部２３を含んでよい。
【００９２】
ここで、サービス通信部２１、サービス制御部２２、サービス格納部２３は、本発明で記述する機能を実行するために図４に示されたように相互機能的に連結される。
【００９３】
ここで、サービス通信部２１は、１つ以上の端末１０とインスタントメッセージングサービスと関連した多様な情報を送受信する役割を担うことができる。
【００９４】
特に、サービス通信部２１は、いずれか１つの端末と連結された他の端末との間にインスタントメッセージまたはコンテンツを送信または受信することができる。また、サービス通信部２１は、いずれか１つの端末１０から多様な情報に対する要請情報を受信し、これに対する情報を端末１０に提供することもできる。
【００９５】
サービス制御部２２は、本発明のサービス装置２０の全般的な制御を行うもので、特に、本発明の実施例によるサービス制御部２２は、メッセンジャープログラムと関連した多様な制御を行うことができる。
【００９６】
例えば、サービス制御部２２は、多数の端末１０にインスタントメッセージングサービスを提供するために、加入されたユーザをユーザ識別子で区分し、それぞれの加入されたユーザに対して状態、受信モード、メッセージ受信者リスト及び加入者環境情報、接続中の（Ｏｎ−ｌｉｎｅ）ユーザ間にインスタントメッセージを伝達するためのＩＭ対話セッション、すなわち対話チャンネルを含むメッセンジャー設定情報を管理する。また、サービス制御部２２は、ＳＩＰ(Ｓｅｓｓｉｏｎ Ｉｎｉｔｉａｔｉｏｎ Ｐｒｏｔｏｃｏｌ)呼処理及びＭＳＲＰ（Ｍｅｓｓａｇｅ  Ｓｅｓｓｉｏｎ  Ｒｅｌａｙ  Ｐｒｏｔｏｃｏｌ）リレー機能等を行うことができ、これにより、多数の端末、例えば第１端末と第２端末との間にメッセージまたはコンテンツ送受信が可能になる。
【００９７】
サービス制御部２２は、写真、動画、オーディオ等を含むコンテンツを、いずれか１つの端末の要請によって、他の端末に伝送することもできる。
【００９８】
特に、サービス制御部２２は、特定端末１０がチャットウィンドウの背景画面に出力されるリアルタイムの撮影映像の伝送を要請すれば、リアルタイムの撮影映像を対話中の相手端末に伝送する。このように伝送されたリアルタイムの撮影映像は、インスタントメッセージのようにスピーチバブル形態に表示される。また、サービス制御部２２は、特定端末１０の背景画面の同期化要請によって、端末１０のチャットウィンドウ背景画面に出力されるリアルタイムの撮影映像を受信し、対話中の相手端末の背景画面に出力されるように制御する。すなわち、対話中の２つ以上の端末１０間の背景画面同期化実行をさらに支援することができる。サービス格納部２３は、サービス制御部２２の動作実行に必要なデータ及びプログラムを格納する構成であって、本発明において、インスタントメッセージングサービスを利用して多数の端末１０に対するメッセンジャー設定情報２３ａを格納することができる。メッセンジャー設定情報２３ａには、チャットウィンドウの背景画面をリアルタイムの撮影映像に切り替えるか否かに対する情報を含んでよい。サービス制御部２２は、メッセンジャー設定情報２３ａに基づいて各端末１０の背景画面を制御することができる。また、サービス格納部２３は、特定端末１０間のリアルタイムの撮影映像の伝送及び背景画面の同期化支援のために、これと関連したイメージデータ２３ｂをさらに格納することができる。
【００９９】
以上、本発明の実施例によるサービス装置２０について説明した。
【０１００】
前述したように、本発明のサービス装置２０は、サーバー基盤コンピューティング方式またはクラウド方式で動作する１つ以上のサーバーで実現可能である。特に、システム１００を通じて送受信される情報は、インターネット上のクラウドコンピューティング装置に永久的に格納可能なクラウドコンピューティング（Ｃｌｏｕｄ  Ｃｏｍｐｕｔｉｎｇ）機能を通じて提供可能である。ここで、クラウドコンピューティングは、デスクトップ、タブレットコンピュータ、ノートパソコン、ネットブック及びスマートフォン等のデジタル端末機にインターネット技術を活用して仮想化されたＩＴ（Ｉｎｆｏｒｍａｔｉｏｎ  Ｔｅｃｈｎｏｌｏｇｙ）資源、例えば、ハードウェア（サーバー、ストレッジ、ネットワーク等）、ソフトウェア（データベース、保安、ウェブサーバー等）、サービス、データ等をオンデマンド（Ｏｎ  ｄｅｍａｎｄ）方式でサービスする技術を意味する。本発明において、多数の端末１０とサービス装置２０との間に送受信されるすべての情報は、インターネット上のクラウドコンピューティング装置に格納され、いつどこでも伝送可能である。
【０１０１】
以下、本発明の実施例によるインスタントメッセージングサービス提供方法について説明する。
【０１０２】
図５は、本発明の実施例によるインスタントメッセージングサービス提供方法を説明するための流れ図である。
【０１０３】
図１及び図５を参照して本発明によるインスタントメッセージングサービス過程を説明する前に、説明の便宜のために端末１０内のメッセンジャープログラムが具備されている状態で端末のメッセンジャー制御方法を中心に説明するが、これに限定されるものではない。
【０１０４】
すなわち、クラウドサービス方式でサービス装置２０がメッセンジャープログラムを実行し、端末１０は、実行による実行画面のみを受信し、メッセンジャープログラムを利用してもよい。
【０１０５】
この場合、端末１０は、以下で説明する段階のうち、ユーザ入力を行い、実際ユーザ入力による機能実行は、クラウドコンピューティング環境を通じて実行され、その実行結果が端末１０に伝送され、端末１０は、実行結果を出力する。この際、画面仮想化技術が適用されてよい。
【０１０６】
図５を参照すれば、本発明による端末１０は、入力部１２を用いたユーザ入力によってメッセンジャープログラム１４ａを実行し、インスタントメッセージング機能を活性化させる（Ｓ１１０）。インスタントメッセージング機能の活性化によって、端末１０の表示部１５には、インスタントメッセンジャーサービスの多様なメニューを含む初期画面が出力される。あるいは、端末１０は、Ｓ１１０段階で、サービス装置２０に接続し、サービス装置２０からサービスページを提供されることによって、インスタントメッセージング機能を活性化させてもよい。
【０１０７】
ユーザが１つ以上の他の端末のユーザとの対話を選択することによって、端末１０は、２つ以上のユーザ間に送受信されるインスタントメッセージを表示するためのチャットウィンドウを形成して表示する（Ｓ１２０）。チャットウィンドウは、新しく生成されてもよいし、既に生成されたチャットウィンドウを選択することによって表示されてもよい。
【０１０８】
この際、端末１０は、チャットウィンドウの背景画面をカメラ映像に切り替えるか否かを確認する（Ｓ１３０）。Ｓ１３０段階は、チャットウィンドウと関連して既定の背景画面の設定情報がカメラ映像への背景画面切替に設定されているかを確認することによって行われてもよく、入力部１２を通じて入力されたユーザ入力を確認することによって行われてもよい。例えば、Ｓ１３０段階で、端末１０の制御部１３は、チャットウィンドウの背景画面をカメラ映像に切り替えるための第１メニューを提供し、第１メニューに対するユーザ入力によって、背景画面の切替可否を確認してよい。また、既定のユーザ入力（音声入力、タッチ、スワイプ等）が発生すれば、リアルタイムの撮影映像への背景画面切替要請が発生したものと判断してよい。また、Ｓ１３０段階は、端末１０の制御部１３が、チャットウィンドウの背景画面に一般映像を出力するか、または、チャットウィンドウの背景画面にカメラ部１６のリアルタイムの映像を出力するかを、ユーザ選択によって設定する段階に代替されてもよい。
【０１０９】
確認の結果、カメラ映像に背景画面を切り替えるものと確認されれば、端末１０の制御部１３は、カメラ部１６を活性化させる。ここで、活性化は、カメラ部１６が電源を供給されて動作し、レンズを通じて映像をリアルタイムで撮影することを意味する。
【０１１０】
また、端末１０の制御部１３は、活性化されたカメラ部１６を通じて出力されるリアルタイムの映像をインスタントメッセージが表示されるチャットウィンドウの背景画面に出力する（Ｓ１５０）。
【０１１１】
Ｓ１５０段階は、インスタントメッセージング機能の他の画面（例えば、メニュー画面または初期画面を含む他の画面）に移動してからチャットウィンドウに戻った場合や、インスタントメッセージング機能の終了後に再実行してチャットウィンドウに戻った場合にも、引き続き維持される。このために、端末１０の制御部１３は、既に生成されたチャットウィンドウに再進入した場合、当該チャットウィンドウに対して設定されたカメラ映像への背景画面切替可否を確認し、背景画面切替に設定されていれば、当該チャットウィンドウの背景画面にリアルタイムの撮影映像に出力されるように制御することができる。一方、Ｓ１５０段階は、バッテリー残余量、節電モード可否、インスタントメッセージング機能のバックグラウンド待機時間のうち１つ以上を基準とする設定条件によって解除され、チャットウィンドウの背景画面が指定された停止映像またはグラフィックイメージを含む一般映像に切り替わる。この際、カメラ部１６も一緒に不活性化される。
【０１１２】
また、前述したように、チャットウィンドウの背景画面にリアルタイムの映像が出力される間に、写真撮影要請（または伝送要請）が発生すれば（Ｓ１６０）、端末１０の制御部１３は、チャットウィンドウの背景画面に出力されるリアルタイムの撮影映像を格納し、格納されたリアルタイムの撮影映像を対話中の１つ以上の他の端末に伝送する（Ｓ１７０）。この際、伝送されるリアルタイムの撮影映像は、停止映像だけでなく、動画をも含んでよい。ここで、写真撮影要請は、リアルタイムの撮影映像が出力される背景画面をタッチまたはクリックを通じて選択する場合、撮影命令のための第２メニューを表示し、表示された第２メニューを通じて行われる。他の例として、写真撮影要請は、チャットウィンドウでデフォルトに指定されたがちゃん、伝送、撮影、撮り、共有、フォト、写真、キャプチャーのうちいずれか１つを含む撮影、伝送、共有と関連した既定の単語、単語を含む文章、単語または文章の初声、単語または文章の縮約語のうち１つ以上がユーザによって入力さたる場合、入力された文字または文章を写真撮影命令として認識するによって行われる。この際、制御部１３は、入力された文字または文章を相手端末に伝送せず、その代わりに、リアルタイムの撮影映像を伝送する。
【０１１３】
Ｓ１４０段階及びＳ１７０段階は、カメラ映像の背景画面切替要請が解除される前まで繰り返され（Ｓ１８０）、カメラ映像の背景画面切替要請が解除されれば、端末１０の制御部１３は、カメラ部１６を不活性化させ（Ｓ１９０）、次に、チャットウィンドウの背景画面に既定の一般映像を出力する（Ｓ２００）。ここで、一般映像は、既に格納されている写真イメージ、グラフィックイメージ等であってよい。Ｓ１７０段階は、カメラ部１６への電源供給を遮断するか、または、カメラ部１６が動作しないように制御することを意味する。
【０１１４】
また、図５には図示されていないが、Ｓ１５０段階で、チャットウィンドウの背景画面にリアルタイムの映像を出力する間に、ユーザの格納要請または撮影要請によって、チャットウィンドウの背景画面に出力されるリアルタイムの映像を格納することもできる。
【０１１５】
ここで、１つ以上の他の端末に伝送または格納されるリアルタイムの映像は、特定時点の停止映像または動画であってよい。
【０１１６】
また、端末１０の制御部１３は、カメラ部１６のリアルタイムの撮影映像が表示されるチャットウィンドウの背景画面が選択され、第２メニューが表示されるとき、リアルタイムの撮影映像において選択された部分をフォーカス表示してよい。
【０１１７】
図６は、本発明によるインスタントメッセージングサービスにおいて、サービス装置２０の動作を説明するメッセージ流れ図である。以下の説明では、第１端末１０ａ及び第２端末１０ｂを基準にして、第１端末１０ａが第２端末１０ｂを招待して対話を行う場合を例示して説明する。
【０１１８】
図６を参照すれば、第１、第２端末１０ａ、１０ｂは、それぞれメッセンジャープログラムを活性化させるか、または、サービス装置２０に接続し、サービスページを受信することによって、インスタントメッセージングサービスを活性化させる（Ｓ２０５）。
【０１１９】
上記の状態で、第１端末１０ａからユーザ入力によるチャットルーム開設要請がサービス装置２０に伝送される。ここで、チャットルーム開設要請時に、チャットルームを開設するユーザ情報、チャットルームに参加する他のユーザの情報を含んでよい。
【０１２０】
これより、サービス装置２０は、第１端末１０ａのチャットルーム開設要請によって、ユーザにより指定されたユーザが参加者に登録されるチャットルームを開設し、チャットルームに参加者に指定された第２端末１０ｂに招待メッセージを伝送する（Ｓ２１５）。
【０１２１】
これにより、第１端末１０ａ及び第２端末１０ｂには、チャットウィンドウ画面が生成されて表示され（Ｓ２２０、Ｓ２２５）、特に、第２端末１０ｂのチャットウィンドウ画面には、特定の端末１０ａが対話に招待したことを通知するメッセージが一緒に出力される。
【０１２２】
上記の状態で、第１端末１０ａのユーザがチャットウィンドウの背景画面をカメラ部１６のリアルタイムの映像に切り替えるように設定または要請すれば、第１端末１０ａは、カメラ部１６を活性化させて、カメラ部１６のリアルタイムの映像が出力されるようにし、且つ、生成されたチャットウィンドウの背景画面の透明度を調整し、カメラ部１６から出力されるリアルタイムの映像がチャットウィンドウの背景画面に現われるようにする（Ｓ２３０）。Ｓ２３０段階は、第１端末１０ａの単独動作で行われてもよいし、サービス装置２０との連動を通じて行われてもよい。例えば、第１端末１０ａがサービス装置２０にユーザの背景画面切替要請を伝達した後、サービス装置２０からの制御命令によってカメラ部１６を活性化させて、カメラ部１６のリアルタイムの映像が出力されるようにし、且つ、生成されたチャットウィンドウの背景画面の透明度を調整し、カメラ部１６のリアルタイムの映像をチャットウィンドウの背景画面に出力する。
【０１２３】
本実施例では、第１端末１０ａを例示して説明するが、Ｓ２３０段階は、第２端末１０ｂでも行われてよい。
【０１２４】
そして、第１端末１０ａ及び第２端末１０ｂは、サービス装置２０を通じてインスタントメッセージを送受信することができる。すなわち、ユーザが作成したインスタントメッセージを相手端末に伝送し、相手端末から伝送されたインスタントメッセージを受信する。前述したように送受信されるインスタントメッセージを、生成されたチャットウィンドウ画面に順次表示させることができる。
【０１２５】
そして、前述したようにインスタントメッセージングサービスを実行する間に、第１端末１０ａでユーザのカメラ映像伝送要請を発生させる（Ｓ２４０）。カメラ映像伝送要請は、既定のユーザ入力（タッチ、スワイプ、クリック等）を通じて行われるか、あるいは、チャットウィンドウ画面に既定の文字（がちゃん、伝送、撮影等）を入力することによって行われてよい。
【０１２６】
このように、カメラ映像伝送要請が発生すれば、第１端末１０ａは、ユーザ入力によってチャットウィンドウの背景画面に出力されるリアルタイムの映像を撮影して格納し、撮影されたリアルタイムの映像を、サービス装置２０を通じて相手端末、すなわち第２端末１０ｂに伝送する（Ｓ２４５）。リアルタイムの映像は、インスタントメッセージングサービスでマルチメディアファイル、写真、オーディオ等のコンテンツを伝送する方式と同一の方式で伝送される。
【０１２７】
すなわち、このように伝送されたリアルタイムの映像は、第１端末１０ａのチャットウィンドウ画面に送信メッセージとして表示され（Ｓ２５０）、第２端末１０ａのチャットウィンドウ画面には、受信メッセージに表示される（Ｓ２５５）。
【０１２８】
図７〜図１５は、本発明によるインスタントメッセージングサービスの例示図である。
【０１２９】
まず、図７は、インスタントメッセージング機能で表示されるチャットウィンドウ画面の例示図であって、チャットウィンドウ画面６０は、通常、対話参加者に対する情報及びチャットウィンドウの機能を設定するための設定ボタンが表示されるヘッド部６１と、所定の背景画面の上に２つ以上のユーザ間に送受信されるインスタントメッセージを順次に表示するメッセージ表示部６２と、ユーザがインスタントメッセージを作成できるように支援する入力支援部６３を含む。
【０１３０】
本発明の一実施例によるインスタントメッセージングサービスにおいて、図７に示されたチャットウィンドウ画面６０で、ヘッド部６１の設定メニューを選択すれば、図８に示されたように、チャットウィンドウ設定画面７０が出力され、チャットウィンドウ設定画面７０を通じてカメラ映像への背景画面切替可否を設定することができる。
【０１３１】
すなわち、図８に示されたように、チャットウィンドウ設定画面７０を通じてチャットウィンドウの背景画面をカメラ部１６のリアルタイムの撮影映像に切り替えるように設定するための第１メニュー７１を提供し、第１メニュー７１を通じてユーザが背景画面の切替可否を選択することができる。図７の実施例では、“対話中に透明背景使用”という名称でメニューが提供されるが、メニュー名称は、任意に表示されたものであって、当該メニューの選択時にチャットウィンドウの背景画面にカメラ部１６のリアルタイムの撮影映像を出力されることをユーザが容易に認知することができるものであれば、どのような形態にも変形可能である。
【０１３２】
チャットウィンドウ設定画面７０は、第１メニュー７１以外に、対話相手設定、対話相手リスト、対話相手追加、着信通知方法の設定、背景イメージ設定等、チャットウィンドウと関連した多様な機能を設定可能な他のメニューを含んでよい。
【０１３３】
図９は、図８のチャットウィンドウ設定画面７０の第１メニュー７１を通じて、カメラ映像に背景画面切替機能が設定された状態でのチャットウィンドウ画面を示す例示図である。
【０１３４】
図９を参照すれば、図７に示された構造と同様に、チャットウィンドウ画面８０は、対話参加者に対する情報及びチャットウィンドウの機能を設定するための設定ボタンが表示されるヘッド部８１と、所定の背景画面の上に２つ以上のユーザ間に送受信されるインスタントメッセージを順次に表示するメッセージ表示部８２と、ユーザがインスタントメッセージを作成するように支援する入力支援部８３を含んで表示され、この際、インスタントメッセージが順次に表示されるメッセージ表示部６２の背景画面に、カメラ部１６によってリアルタイムで撮影された映像が表示される。したがって、ユーザがチャットウィンドウ画面８０で視線を返すことなく、前方の状況を、チャットウィンドウの背景を通じてリアルタイムに確認することができる。
【０１３５】
本発明において、カメラ映像への背景画面切替機能は、多様な方式で設定または要請されてよい。
【０１３６】
図１０は、本発明によるインスタントメッセージングサービスにおいて、カメラ映像への背景画面切替機能を設定するためのユーザインターフェースの他の例示図である。
【０１３７】
図１０を参照すれば、本発明による端末１０の制御部１３は、対話参加者に対する情報等を表示するヘッド部９１及び２つ以上のユーザ間にインスタントメッセージを送受信して表示するメッセージ表示部９２を含むチャットウィンドウ画面９０で、ユーザのメニューボタン選択によって、チャットウィンドウで実行可能な多様なメニューを出力するメニュー領域９３を表示するが、メニュー領域９３に、背景画面をカメラ部１６のリアルタイムの撮影映像に切り替えできるように設定するための第１メニュー９３ａを一緒に表示する。ここで、第１メニュー９２ａは、“カメラ背景オン／オフ”という名称で表示された。
【０１３８】
したがって、ユーザは、メニュー領域９３の第１メニュー９３ａを選択し、カメラ映像を背景画面を出力するカメラ背景機能をオンさせることによって、カメラ映像への背景画面切替を要請または設定することができる。カメラ背景機能のオン状態でさらに第１メニュー９３ａを選択すれば、カメラ背景機能をオフ状態に切り替えることができる。
【０１３９】
また、本発明によるインスタントメッセージングサービスは、チャットウィンドウの背景画面にカメラ映像が出力されるように選択または設定すれば、図１１に示されたように、カメラ背景に対する案内メッセージ窓１００をさらに出力し、当該機能に対して説明するメッセージを出力し、カメラ背景の使用可否をもう一度確認することができる。上記の状態で、ユーザが確認ボタン１０１を選択すれば、最終的にチャットウィンドウの背景画面がカメラ映像に変更され、反対にユーザが取り消しボタン１０２を選択すれば、チャットウィンドウの背景画面に元々の一般映像を出力することができる。
【０１４０】
前述した例示とは異なって、本発明の他の実施例では、図８及び図１０に示されたように、背景画面をカメラ映像に切り替えるための第１メニューを提供せず、キーパッド入力、マルチタッチ、スワイプ、音声入力等の多様な入力方式のうちチャットウィンドウの背景画面をカメラ映像に切り替えるためのユーザ入力を既定し、既定したユーザ入力が発生すれば、図９に示されたように、チャットウィンドウの背景画面にカメラ映像が出力される。
【０１４１】
次に、図１２は、チャットウィンドウ画面の背景画面がリアルタイムの撮影映像に切替されて表示される間に、ユーザのインスタントメッセージ作成及び表示状態を示すものであって、メッセージ表示部１１２の背景に、リアルタイムの撮影映像として出力しながら、その上に送受信されるインスタントメッセージを表示する状態で、入力支援部１１３を選択するかによって、文字入力のためのキーパッド画面１１４が表示され、キーパッド画面１１４を操作することによって、ユーザは、多様なインスタントメッセージを作成して伝送することができる。すなわち、リアルタイムの映像が出力される背景画面の上で既存と同様に、インスタントメッセージを作成することができ、作成されたインスタントメッセージは、リアルタイムの映像の上に表示される。
【０１４２】
最後に、図１３〜図１５は、本発明の他の実施例によるインスタントメッセージングサービスにおいて、チャットウィンドウの背景画面に出力されるリアルタイムの撮影映像を格納するか、または、対話に参加した他の端末のユーザに伝送する過程の例示図である。
【０１４３】
図１２に示されたように、本発明の一実施例では、リアルタイムの撮影映像が表示されたメッセージ表示部１２２の背景画面をユーザが選択すれば、チャットウィンドウ画面１２０の下端部に、写真撮影命令のための第２メニュー１２３が表示される。この際、メッセージ表示部１２２の背景映像のうち選択された領域がフォーカスされてよい。背景画面の選択は、クリックまたはタッチ方式で行われてよい。そして、第２メニュー１２４は、図示のように、写真撮影ボタンであることを認識可能なアイコンまたは文字で表現されてよい。特に、本発明の一実施例では、背景画面のリアルタイムの映像を選択するによって、入力支援部１２３が第２メニュー１２４に変更表示される。
【０１４４】
上記の状態で、ユーザが第２メニュー１２３を選択し、撮影命令を入力すれば、第２メニュー１２４の選択時点にメッセージ表示部１２２の背景画面に出力されるリアルタイムの撮影映像が格納されるか、または、対話に参加している相手端末に伝送される。
【０１４５】
また、本発明の他の実施例では、文字入力を通じて写真撮影または格納または伝送を命令することもできる。
【０１４６】
図１４に示されたチャットウィンドウ画面１２０の入力支援部１２３をタッチすれば、インスタントメッセージ作成のためのキーパッド表示部１２５が表示される。この際、ユーザがキーパッド表示部１２５を操作し、既定の文字、例えば、“がちゃん”、“撮影”、“伝送”等を入力する場合、端末１０は、背景画面に出力されるリアルタイムの撮影映像の撮影、格納または伝送要請として認識し、文字を相手に伝送せず、背景画面に出力されるリアルタイムの撮影映像を格納するか、または、相手端末に伝送する。この際、背景画面のリアルタイムの映像処理と関連した多様な機能をそれぞれ互いに異なる文字として指定することもできる。例えば、ユーザが“がちゃん”を入力した場合、端末１０は、文字を撮影命令として認識し、カメラ部１６のリアルタイムの映像を撮影して格納することができる。また、ユーザが“伝送”を入力した場合、端末１０は、文字をリアルタイムの映像の伝送命令として認識し、カメラ部１６のリアルタイムの映像を相手端末に伝送することができる。このように、文字入力を通じてユーザ要請を認識するようにする場合、新しいメニュー表現のためのＵＩ再構成無しに、多様な機能及び命令を追加することができる。
【０１４７】
一方、前述したように、ユーザの要請によって、相手端末に伝送されたリアルタイムのカメラ映像は、図１５に示されたように、チャットウィンドウ画面１２０のメッセージ表示部１２２にスピーチバブル形態１２２ａで表示される。この際、ユーザの端末には、ユーザの送信メッセージとして表示され、相手端末には、受信メッセージとして表示される。
【０１４８】
以上より、本発明の実施例によるインスタントメッセージングサービス提供方法について多様な例示を参照して説明した。
【０１４９】
本発明の実施例による端末１０及びサービス装置２０に搭載されるプロセッサは、本発明による方法を実行するためのプログラム命令を処理することができる。このプロセッサは、一実施例においてシングルスレッド（Ｓｉｎｇｌｅ−ｔｈｒｅａｄｅｄ）プロセッサであり、他の実施例においてマルチスレッド（Ｍｕｌｔｉｔｈｒｅａｄｅｄ）プロセッサである。さらに、本プロセッサは、メモリまたは格納装置上に格納された命令を処理することが可能である。
【０１５０】
また、本発明による装置に搭載され、本発明による方法を実行するコンピュータプログラム（プログラム、ソフトウェア、ソフトウェアアプリケーション、スクリプトまたはコードとしても知られている）、例えば、メッセンジャープログラム及びメッセンジャープラットホームは、コンパイルまたは解釈された言語や先験的または手続的な言語を含むプログラミング言語のどんな形態でも作成され、独立型プログラムやモジュール、コンポネント、サブルーチンまたはコンピュータ環境で使用するのに適した他のユニットを含んでどんな形態にも展開されてよい。コンピュータプログラムは、ファイルシステムのファイルに必ず対応するものではない。プログラムは、要請されたプログラムに提供される単一ファイル内に、多重の相互作用するファイル（例えば、１つ以上のモジュール、下位プログラム若しくはコードの一部を格納するファイル）内に、または、他のプログラムやデータを保持するファイルの一部（例えば、マークアップ言語文書内に格納される１つ以上のスクリプト）内に、格納されてよい。コンピュータプログラムは、１つのサイトに位置するか、または、複数のサイトにわたって分散し、通信ネットワークにより相互接続された多重コンピュータや１つのコンピュータ上で実行されるように展開されてよい。
【０１５１】
また、コンピュータプログラム命令語とデータを格納するに適したコンピュータで読取可能な媒体は、例えば、ＥＰＲＯＭ、ＥＥＰＲＯＭ及びフラッシュメモリ装置のような半導体メモリー装置、例えば内部ハードディスクや外装型ディスクのような磁気ディスク、磁気光学ディスク及びＣＤ−ＲＯＭとＤＶＤ−ＲＯＭディスクを含んですべての形態の不揮発性メモリ、媒体及びメモリ装置を含む。プロセッサとメモリは、特殊目的の論理回路により補充されるか、または、それに統合されてよい。
【０１５２】
このように、本明細書は、多様な画面例示図を通じて本発明の実施例によるメッセンジャープログラムの主要機能、制御方法について説明したが、当該画面例示図を通じて示されたものに限定されて理解されるべきものではない。
【０１５３】
むしろ特定の発明の特定の実施形態に特有な特徴に対する説明として理解されなければならないし、本発明の実施例を通じて図示しない多様な機能、例えば、多様なチャット窓を削除または編集できる機能、特定相手にアイテム等をプレゼントできる機能等の多様な機能も、本発明のメッセンジャープログラムを通じて実現されてよい。
【０１５４】
また、個別的な実施形態の文脈で本明細書に記述された特定の特徴は、単一実施形態で組み合わせて実現されてもよい。反対に、単一実施形態の文脈で記述した多様な特徴も個別的にあるいはどんな適切な下位組合せでも、複数の実施形態で実現可能である。さらに、特徴が特定の組合せで動作し、初期にそのように請求されたもののように描写されてよいが、請求された組合せからの１つ以上の特徴は、一部の場合にその組合せから排除されてよく、その請求された組合せは、下位組合せや下位組合せの変形物に変更可能である。
【０１５５】
同様に、特定の順序で図面で動作を描写しているが、これは、好ましい結果を得るために図示されたその特定の順序や順次的な順序にそのような動作を行わなければならないか、またはすべての示された動作が行われなければならないものと理解すべきものではない。特定の場合、マルチタスキングと並列プロセッシングが有利である。また、前述した実施形態の多様なシステムコンポネントの分離は、そのような分離をすべての実施形態で要求するものと理解すべきものではなく、説明したプログラムコンポネントとシステムは、一般的に単一のソフトウェア製品として一緒に統合されるか、または、多重ソフトウェア製品にパッケージングできるという点を理解しなければならない。
【０１５６】
また、前述した説明は、本発明の最良のモードを提示しており、本発明を説明するために、そして当業者が本発明を製作及び利用できるようにするための例を提供している。このように作成された明細書は、その提示された具体的な用語に本発明を制限するものではない。したがって、前述した例を参照して本発明を詳細に説明したが、当業者であれば本発明の範囲を逸脱することなく本例に対する改造、変更及び変形を行うことができる。
【０１５７】
したがって、本発明の範囲は、説明された実施例によって定められるものではなく、特許請求範囲によって定められるべきものである。
【産業上の利用可能性】
【０１５８】
本発明は、２つ以上の端末間に送受信されるインスタントメッセージを表示するチャットウィンドウの背景画面に、リアルタイムで撮影されたカメラの映像を出力することによって、ユーザがインスタントメッセージを通じて相手とコミュニケーションしながら、チャットウィンドウの背景画面を通じて前方を確認することができる。
【０１５９】
特に、本発明は、インスタントメッセージングサービスの利用中にチャットウィンドウの背景画面に表示されたカメラのリアルタイムの撮影映像を通じてユーザ前方の状況を確認できるようにして、安全に移動しながらインスタントメッセージを利用する等、ユーザ便宜性を向上させることができる。
【０１６０】
また、本発明は、ユーザがインスタントメッセージングサービスの利用中にチャットウィンドウの背景画面に表示されたカメラのリアルタイムの撮影映像を通じてユーザ前方の状況を確認しながら、背景画面のタッチ等の簡単な操作だけで撮影映像を対話中の相手の端末に伝送するようにして、対話中の相手と周辺の多様な状況をリアルタイムで共有できるという優れた効果がある。
【図１】
0005860999.tif 000002
【図２】
0005860999.tif 000003
【図３】
0005860999.tif 000004
【図４】
0005860999.tif 000005
【図５】
0005860999.tif 000006
【図６】
0005860999.tif 000007
【図７】
0005860999.tif 000008
【図８】
0005860999.tif 000009
【図９】
0005860999.tif 000010
【図１０】
0005860999.tif 000011
【図１１】
0005860999.tif 000012
【図１２】
0005860999.tif 000013
【図１３】
0005860999.tif 000014
【図１４】
0005860999.tif 000015
【図１５】
0005860999.tif 000016